(57)【要約】 【課題】  携帯電話機における香りの発散の促進等を図る。【解決手段】  携帯電話機本体１２にポケット１６を形成すると共に、ポケット１６の底壁に開口２６を形成する。開口２６の下側にＶＩＢモータ２８を設置する。ポケット１６を電池カバー１８で被う。電池カバー１８のポケット１６対応部に透孔２０を形成する。ＶＩＢモータ２８を着信に応答して回転させる。この回転によって発生される風は、開口２６、ポケット１６内の香りを染み込ませた綿２４、そして透孔２０を経て外気へ放出される。【選択図】      図１
2007060433.tif 000002
【特許請求の範囲】
【請求項１】
香りを出す携帯端末装置であって、
芳香物質を貯蔵する芳香物質貯蔵部と、
該芳香物質貯蔵部に貯蔵された前記芳香物質に風又は機械的振動を与えて香りを発散させる香り発散手段と
を備えてなることを特徴とする携帯端末装置。
【請求項２】
前記芳香物質貯蔵部は、通気性を一部又は全部に有することを特徴とする請求項１記載の携帯端末装置。
【請求項３】
前記芳香物質貯蔵部は、前記芳香物質の香りを外部へ導出する香り排出口を有するカバーを携帯端末装置本体に被せるようにして構成されていることを特徴とする請求項１又は２記載の携帯端末装置。
【請求項４】
前記カバーは、電池カバーであることを特徴とする請求項３記載の携帯端末装置。
【請求項５】
前記香り発散手段は、駆動スイッチを有する送風手段からなることを特徴とする請求項１、２、３又は４記載の携帯端末装置。
【請求項６】
前記送風手段は、モータと、該モータに取り付けられたファンとで構成されることを特徴とする請求項５記載の携帯端末装置。
【請求項７】
前記送風手段は、振動モータであることを特徴とする請求項５記載の携帯端末装置。
【請求項８】
前記香り発散手段は、駆動スイッチを有する振動手段からなることを特徴とする請求項１、２、３又は４記載の携帯端末装置。
【請求項９】
前記振動手段は、振動モータであることを特徴とする請求項８記載の携帯端末装置。
【請求項１０】
前記駆動スイッチは、前記携帯端末装置に設けられた着信検出回路の出力信号によって閉成されることを特徴とする請求項５、６、７又は８記載の携帯端末装置。
【請求項１１】
前記駆動スイッチは、前記携帯端末装置に設けられた通電制御出回路の出力信号によって閉成されることを特徴とする請求項５、６、７又は８記載の携帯端末装置。
【請求項１２】
前記芳香物質貯蔵部は、香りを染み込ませた繊維材又は多孔質材を貯蔵することを特徴とする請求項１乃至１１のいずれか一に記載の携帯端末装置。
【請求項１３】
香りを出す折り畳み式携帯端末装置であって、
折り畳み式携帯端末装置の通話部に設けられ、芳香物質を貯蔵する芳香物質貯蔵部と、
前記該芳香物質貯蔵部に貯蔵された前記芳香物質に風又は機械的振動を与えて香りを発散させる香り発散手段とを備え、
前記芳香物質貯蔵部は、前記通話部を開いたときの面に、香りを外部へ導出する香り排出口を有し、前記香り排出口は、前記折り畳み式携帯端末装置の受話部に設けた閉塞材で閉塞されることを特徴とする折り畳み式携帯端末装置。
【請求項１４】
前記芳香物質貯蔵部は、通気性を一部又は全部に有することを特徴とする請求項１３記載の折り畳み式携帯端末装置。
【請求項１５】
前記香り発散手段は、駆動スイッチを有する送風手段からなることを特徴とする請求項１３又は１４記載の折り畳み式携帯端末装置。
【請求項１６】
前記送風手段は、モータと、該モータに取り付けられたファンとで構成されることを特徴とする請求項１５記載の折り畳み式携帯端末装置。
【請求項１７】
前記送風手段は、振動モータであることを特徴とする請求項１５記載の折り畳み式携帯端末装置。
【請求項１８】
前記香り発散手段は、駆動スイッチを有する振動手段からなることを特徴とする請求項１３又は１４記載の折り畳み式携帯端末装置。
【請求項１９】
前記振動手段は、振動モータであることを特徴とする請求項１８記載の折り畳み式携帯端末装置。
【請求項２０】
前記駆動スイッチは、前記携帯端末装置に設けられた着信検出回路の出力信号によって閉成されることを特徴とする請求項１５乃至１９のいずれか一に記載の折り畳み式携帯端末装置。
【請求項２１】
前記駆動スイッチは、前記携帯端末装置に設けられた通電制御出回路の出力信号によって閉成されることを特徴とする請求項１５乃至１９のいずれか一に記載の折り畳み式携帯端末装置。
【請求項２２】
前記芳香物質貯蔵部は、香りを染み込ませた繊維材又は多孔質材を貯蔵することを特徴とする請求項１３乃至２１のいずれか一に記載の折り畳み式携帯端末装置。
【発明の詳細な説明】
【技術分野】
【０００１】
この発明は、携帯端末装置に関し、詳しくは芳香物質からの香りの発散を促進させる手段を備える携帯端末装置に関する。
【背景技術】
【０００２】
従来、携帯電話機の製造メーカーにおいては、携帯電話機の機能を追求して携帯電話機に高度な機能を付加してユーザにその利用価値を売り込む方向に進んでいる。
また、ユーザ側において、製造メーカーによって提供される機能とは別にユーザ自身により携帯電話機に加飾等してカスタマイズした機能を携帯電話機に付加しつつ、携帯電話機の利用を図ることも行われている。
【０００３】
このユーザ自身によるカスタマイズし得る機能を携帯電話機に付加する技術的手段も既に提案されている。その例が特許文献１に開示されている。
特許文献１は、本体に対して蓋体を折り畳み可能にするヒンジ機構を有する折り畳み式携帯電話機において、そのヒンジ機構を構成する駒部に装入室を形成すると共に、装入室内部を外気に連通させる１又は複数の小孔を開蓋時に露出する駒部の位置に形成している。また、その装入室の一端には、芳香部材を装入する開口部を形成し、その開口部は栓部材で閉塞する構成となっている。
【０００４】
この構成により、携帯電話機に着信があって蓋体を開いた状態においては、駒部の小孔は露出されて装入室内の芳香は外部に発散されるから、芳香を楽しみつつの通話が可能にする。
また、携帯電話機の不使用時に、蓋体は折り畳まれて駒部の小孔領域は本体及び蓋体の小孔領域対応部で閉塞される。したがって、芳香部材の不要な使用は防止される。
【０００５】
また、特許文献２には、着信時から通話開始までの間、芳香の発散を促進させる技術的手段を備えた携帯電話機が開示されている。すなわち、携帯電話機のケーシングの一部に窓を開設し、その窓に蓋を被せてケーシング内に閉空間を形成する。その閉空間内に着信を振動で知らせる回転式起振機構の偏心荷重に芳香部材を取り付けて構成されている。上記蓋には、１又は複数の小孔が形成されている。
この構成により、着信時から通話開始までの間、回転式起振機構によって芳香部材は、回転してその芳香の発散が促進される。
【０００６】
また、特許文献３には、携帯電話機の構成部品から発生する熱によって香りを発散させる技術的手段が開示されている。すなわち、操作部のスイッチの操作によって通話が開始されると、音声処理回路等から発熱し、その近傍にある多孔質基材から香りが発散される。また、通話との連動でなく、ユーザの随時に操作されるスイッチの閉成により発熱体から発熱させてその近傍に置かれる多孔質基材から香りを発散させることも開示されている。
【０００７】
また、特許文献４には、携帯電話機に芳香発生手段を備える技術的手段が開示されている。すなわち、その芳香発生手段は、芳香剤タンクと芳香剤タンクに連通される芳香用開口との間にポンプを設け、このポンプをポンプ駆動回路により制御する仕組みとなっているが、芳香剤タンクは、その中に装填された芳香剤を加熱するヒータを装備されてその全体が構成されている。そして、ポンプの駆動時間又は速度を調整する手段も開示している。また、着信時、送信時に芳香を発生させることも開示している。
【特許文献１】特許第３６４３７７９号
【特許文献２】特許第３６４３７８０号
【特許文献３】特開２００２−３５９６７１号公報
【特許文献４】特開２００３−２８３６３１号公報
【発明の開示】
【発明が解決しようとする課題】
【０００８】
上述のように、携帯電話機を提供するメーカー側は、今までのところ、専ら、携帯電話機の通信機能の向上をその技術的課題の唯一のものの如くして来ていたが、近時、ユーザ自身でカスタマイズし得る機能を携帯電話機に付加して携帯電話機の付加価値を高めるようになっていることは、上述した通りである。その例が、特許文献１乃至４に開示されるユーザに楽しませる香りを携帯電話機から発散させる技術的手段である。
【０００９】
特許文献１による香り発散手段は、折り畳み式携帯電話機のヒンジ機構を構成する駒部に形成された装入室内に芳香部材を挿入した後、その装入室内に芳香部材を栓部材で閉じ込めた状態にする一方、装入室を形成している駒部に１又は複数の小孔に形成してその小孔から香りを発散させている。
したがって、装入室から自然に抜け出て来る香りを楽しむことができるだけの手段が、そこには開示されているに過ぎず、香りの発散を促進させる技術的手段はない。
【００１０】
また、特許文献２は、着信時から通話開始までの間、回転式起振機構によって芳香部材を回転させてその芳香の発散を促進させる技術的手段が開示されている。
しかし、芳香部材は、回転式起振機構に取り付けられているから、芳香の発散時間に限りがあるばかりでなく、更なる発展的な利用性に大きな制限があるという技術的課題がある。
【００１１】
また、特許文献３は、通話が開始されるとき、携帯電話機の構成部品から発生する熱によって多孔質基材の香りの発散を促進させる技術的手段が開示されている。また、通話との連動でなく、ユーザの随時に操作されるスイッチの閉成による発熱体に通電して発熱させてその近傍に置かれる多孔質基材から香りを発散させることも開示している。
したがって、特許文献３に開示される技術的手段は、熱の利用を必要不可欠の要件とし、香りの発散に加熱手段を必要としてしまうという技術的課題がある。
【００１２】
また、特許文献４は、その芳香発生手段を、芳香剤タンク内の芳香剤をヒーターで加熱しつつ、発生した芳香をポンプで吸引して携帯電話機外へ発散させるものであるから、この芳香発生手段も熱を必要不可欠の要件としており、特許文献３と同様の技術的課題がある。
【００１３】
この発明は、上述の事情に鑑みてなされたもので、芳香物質貯蔵部の香りを染み込ませた繊維材等からの香りの発散の促進に風を当てる携帯端末装置を提供することを目的としている。
【課題を解決するための手段】
【００１４】
上記課題を解決するために、請求項１記載の発明は、香りを出す携帯端末装置に係り、芳香物質を貯蔵する芳香物質貯蔵部と、該芳香物質貯蔵部に貯蔵された前記芳香物質に風又は機械的振動を与えて香りを発散させる香り発散手段とを備えてなることを特徴としている。
【００１５】
請求項２記載の発明は、請求項１記載の携帯端末装置に係り、前記芳香物質貯蔵部は、通気性を一部又は全部に有することを特徴としている。
【００１６】
請求項３記載の発明は、請求項１又は２記載の携帯端末装置に係り、前記芳香物質貯蔵部は、前記芳香物質の香りを外部へ導出する香り排出口を有するカバーを携帯端末装置本体に被せるようにして構成されていることを特徴としている。
【００１７】
請求項４記載の発明は、請求項３記載の携帯端末装置に係り、前記カバーは、電池カバーであることを特徴としている。
【００１８】
請求項５記載の発明は、請求項１、２、３又は４記載の携帯端末装置に係り、前記香り発散手段は、駆動スイッチを有する送風手段からなることを特徴としている。
【００１９】
請求項６記載の発明は、請求項５記載の携帯端末装置に係り、前記送風手段は、モータと、該モータに取り付けられたファンとで構成されることを特徴としている。
【００２０】
請求項７記載の発明は、請求項５記載の携帯端末装置に係り、前記送風手段は、振動モータであることを特徴としている。
【００２１】
請求項８記載の発明は、請求項１、２、３又は４記載の携帯端末装置に係り、前記香り発散手段は、駆動スイッチを有する振動手段からなることを特徴としている。
【００２２】
請求項９記載の発明は、請求項８記載の携帯端末装置に係り、前記振動手段は、振動モータであることを特徴としている。
【００２３】
請求項１０記載の発明は、請求項５、６、７又は８記載の携帯端末装置に係り、前記駆動スイッチは、前記携帯端末装置に設けられた着信検出回路の出力信号によって閉成されることを特徴としている。
【００２４】
請求項１１記載の発明は、請求項５、６、７又は８記載の携帯端末装置に係り、前記駆動スイッチは、前記携帯端末装置に設けられた通電制御出回路の出力信号によって閉成されることを特徴としている。
【００２５】
請求項１２記載の発明は、請求項１乃至１１のいずれか一に記載の携帯端末装置に係り、前記芳香物質貯蔵部は、香りを染み込ませた繊維材又は多孔質材を貯蔵することを特徴としている。
【００２６】
請求項１３記載の発明は、香りを出す折り畳み式携帯端末装置に係り、折り畳み式携帯端末装置の通話部に設けられ、芳香物質を貯蔵する芳香物質貯蔵部と、前記該芳香物質貯蔵部に貯蔵された前記芳香物質に風又は機械的振動を与えて香りを発散させる香り発散手段とを備え、前記芳香物質貯蔵部は、前記通話部を開いたときの面に、香りを外部へ導出する香り排出口を有し、前記香り排出口は、前記折り畳み式携帯端末装置の受話部に設けた閉塞材で閉塞されることを特徴としている。
【００２７】
請求項１４記載の発明は、請求項１３記載の折り畳み式携帯端末装置に係り、前記芳香物質貯蔵部は、通気性を一部又は全部に有することを特徴としている。
【００２８】
請求項１５記載の発明は、請求項１３又は１４記載の折り畳み式携帯端末装置に係り、前記香り発散手段は、駆動スイッチを有する送風手段からなることを特徴としている。
【００２９】
請求項１６記載の発明は、請求項１５記載の折り畳み式携帯端末装置に係り、前記送風手段は、モータと、該モータに取り付けられたファンとで構成されることを特徴としている。
【００３０】
請求項１７記載の発明は、請求項１５記載の折り畳み式携帯端末装置に係り、前記送風手段は、振動モータであることを特徴としている。
【００３１】
請求項１８記載の発明は、請求項１３又は１４記載の折り畳み式携帯端末装置に係り、前記香り発散手段は、駆動スイッチを有する振動手段からなることを特徴としている。
【００３２】
請求項１９記載の発明は、請求項１８記載の折り畳み式携帯端末装置に係り、前記振動手段は、振動モータであることを特徴としている。
【００３３】
請求項２０記載の発明は、請求項１５乃至１９のいずれか一に記載の折り畳み式携帯端末装置に係り、前記駆動スイッチは、前記携帯端末装置に設けられた着信検出回路の出力信号によって閉成されることを特徴としている。
【００３４】
請求項２１記載の発明は、請求項１５乃至１９のいずれか一に記載の折り畳み式携帯端末装置に係り、前記駆動スイッチは、前記携帯端末装置に設けられた通電制御出回路の出力信号によって閉成されることを特徴としている。
【００３５】
請求項２２記載の発明は、請求項１３乃至２１のいずれか一に記載の折り畳み式携帯端末装置に係り、前記芳香物質貯蔵部は、香りを染み込ませた繊維材又は多孔質材を貯蔵することを特徴としている。
【発明の効果】
【００３６】
この発明によれば、芳香物質を貯蔵する芳香物質貯蔵部と、該芳香物質貯蔵部に貯蔵された前記芳香物質に風又は機械的振動を与えて香りを発散させる香り発散手段とを備えて香りを出す携帯端末装置を構成しているから、香り発散手段により香りの発散を促進させてその香りを楽しみつつ通話を行うことができる。
また、香りは、ユーザ自身の選択に委ねられるから、第三者とは違う携帯端末装置を所持したいというユーザ自身の要望を満たし得る携帯端末装置を提供できる。
また、折り畳み式携帯端末装置では、その不使用時の折り畳んだ状態では、香りを放出する香り排出口を閉塞する構成としているので、香りの自然発散を防止し得る。
【発明を実施するための最良の形態】
【００３７】
この発明は、芳香物質を貯蔵する芳香物質貯蔵部と、該芳香物質貯蔵部に貯蔵された前記芳香物質に風又は機械的振動を与えて香りを発散させる香り発散手段とを備えて構成される。
また、折り畳み式携帯端末装置では、その不使用時の折り畳んだ状態では、香りを放出する香り排出口を閉塞するようにして構成される。
【実施例１】
【００３８】
図１は、この発明の実施例１である携帯電話機の香り発散室を分解して示す図、図２は、同携帯電話機の電池カバーを携帯電話機本体に被せた状態の図、図３は、図２の切断線II−IIをＡ方向から見た断面図、また、図４は、上記携帯電話機のモータ駆動回路図である。
この実施例の携帯電話機１０は、香り発散室に収容され、香りを染み込ませた綿に対して風を当てて香りの発散を促進させる構成の電話機に係り、図１乃至図３に示すように、携帯電話機本体（以下、単に本体という）１２に、香り（芳香物質）を染み込ませた綿１４を収納するポケット（開放型収納部）１６が形成され、このポケット１６は電池カバー１８を被せられるように構成されている。電池カバー１８には、透孔（開口）２０が形成されている。ポケット１６に電池カバー１８が被せられると、そこに香り発散室２２（芳香物質貯蔵部）が形成される。香り発散室２２内に香りを揮発させる物、例えば、好みの香りを染み込ませた綿２４が収納される。
【００３９】
香り発散室２２の下部に開口２６（図３）が形成され、この開口２６の下方に送風機を構成する振動モータ（以下、ＶＩＢモータともいう）２８が配置されている。ＶＩＢモータ２８の分銅の回転によって発生される風は、開口２６を通して香り発散室２２内へ送り込まれるように構成されている。
ＶＩＢモータ２８は、図４に示すように、スイッチ３４を介して電池３６に接続されている。スイッチ３４は、着信検出回路３８の出力に接続されて着信検出信号によって閉成されるように構成されている。
なお、本体１２には、電池パック室３０が形成され、この電池パック室３０内に電池パック３２が収められ、携帯電話機１０の電気的各部に給電が行われる。
【００４０】
次に、図１乃至図３を参照して、この実施例の動作を説明する。
携帯電話機１０は、通常、電池パック３２を電池パック室３０内へ所定の設定状態で収納し、電池カバー１８を本体１２に被着されて使用される。
この電池カバー１８の被着に先立って、開放型収納部１６内へ香りを染み込ませた綿１４を収める。そして、電池カバー１８の本体１２への被着を行う。これにより、携帯電話機１０に香り発散室２２が形成され、香り発散室２２内の香りは、極く微量ずつ、透孔２０を通して外部へ気化して周囲に漂う。
【００４１】
このような状態にある携帯電話機１０に着信があると、その着信は、着信検出回路３８によって検出される。着信検出回路３８による着信検出に応答してスイッチ３４が閉成されてＶＩＢモータ２８が回転される。この回転によって、開口２６を通した香り発散室２２への、そして透孔２０を通した外気への送風が開始される。
この送風により、それまで極く微量であった香りの外気への発散が、大いに促進されることになる。この状態において、ユーザが通話に入るときには、ユーザ自身の好みの香りを楽しみつつ、通話を行うことができる。
また、開放型収納部１６に収めて使用しようとする、香りを染み込ませた綿２４としては、ユーザ好みの他の種類の香りのものを必要に応じて選択して使用することができる。
【００４２】
このように、この実施例の構成によれば、香りの自然発散ができる構造を形成し、さらに着信があるとその香りの発散を促進させる構成を取り入れているので、通話時に、ユーザ好みの香りを楽しみつつ通話を行うことができる。
また、香りは、ユーザ自身の選択に委ねられるから、第三者とは違う携帯電話機を所持したいというユーザ自身の要望を満たし得る携帯電話機の提供が可能になり、携帯電話機の需要の増大に役立つ。
【実施例２】
【００４３】
図５は、この発明の実施例２である折り畳み式携帯電話機の開いた状態での斜視図、図６は、同折り畳み式携帯電話機の折り畳んだ状態での一部断面側面図、また、図７は、同折り畳み式携帯電話機の開いた状態での一部断面側面図である。
この実施例の構成が、実施例１のそれと大きく異なる点は、折り畳み式携帯電話機の折り畳んだ状態では、香り発散室の透孔を閉塞するようにした点である。
すなわち、この実施例の折り畳み式携帯電話機１０Ａは、図５乃至図７に示すように、折り畳み式携帯電話機１０Ａを折り畳んだ状態において、香り発散室２２Ａの透孔（開口）２０Ａを、受話部５０に設けられたクッション（閉塞材）５２で閉塞させるように構成した点にその特徴部分がある。
【００４４】
香り発散室２２Ａは、折り畳み式携帯電話機１０Ａの通話部５４に挿入口５７を形成し、その挿入口５７に出し入れ自在のポケット（上側開放型引き出し）５８を設け、側壁５６から上記本体内に差し込まれたポケット５８と対向する通話部５４の外壁位置に透孔２０Ａを設けて構成される。
受話部５０と通話部５４とは、この実施例においても、連結部６２によってほぼ１８０度の範囲内で折り畳み自在に連結されている。
受話部５０と通話部５４とを折り畳んだ状態において、通話部５４の透孔２０Ａと対面する受話部５０の位置にクッション５２が固着されている。
図６及び図７に図示するように、実施例１と同様、ポケット５８に開口２６Ａが形成され、その開口２６Ａへ送風するようにＶＩＢモータ２８が設けられている。
この構成以外のこの実施例の構成は、実施例１と同じであるので、同一の構成部分には同一の参照符号を付して、その逐一の説明は省略する。
【００４５】
次に、図５乃至図７を参照して、この実施例の動作について説明する。
携帯電話機１０Ａの使用に先立って、通話部５４を開いた状態又は折り畳んだ状態で、上側開放型引き出し５８の中に香りを染み込ませた綿２４を入れ、その引き出し５８を通話部５４の挿入口５７に差し込む。
通話部５４を開いた状態での綿２４の装填の場合は、通話部５４を折り畳んで着信を待つ。この状態においては、クッション５２によって透孔２０Ａは塞がれるから、香り発散室２２Ａ内の香りは、外部へ発散しない。
【００４６】
このような状態にある携帯電話機１０Ａに着信があると、その着信は、着信検出回路３８（図４参照）によって検出される。また、携帯電話機１０Ａの通話部５４は開かれ、クッション５２による透孔２０Ａの閉塞は無くなる。
したがって、着信検出回路３８による着信検出に応答してスイッチ３４が閉成されてＶＩＢモータ２８が回転されると、開口２６Ａを通した香り発散室２２Ａへの、そして透孔２０Ａを通した外気への送風が開始される。
この送風により、香りの外気への発散が、大いに促進されることになる。この状態において、ユーザが通話に入るときには、ユーザ自身の好みの香りを楽しみながら、通話を行うことができる。
また、上側開放型引き出し５８に詰めて使用しようとする、香りを染み込ませた綿２４としては、ユーザ好みの他の種類の香りのものを必要に応じて選択して使用することができる。
【００４７】
このように、この実施例の構成によれば、香りの自然発散を防止し得る構造を形成し、さらに着信があるとその香りの発散を促進させる構成を取り入れているので、通話時に、ユーザ好みの香りを楽しみながら通話を行うことができる。
また、香りは、ユーザ自身の選択に委ねられるから、第三者とは違う携帯電話機を所持したいというユーザ自身の要望を満たし得る携帯電話機の提供が可能になり、携帯電話機の需要の増大に役立つ。
【００４８】
以上、この発明の実施例を、図面を参照して詳述してきたが、この発明の具体的な構成は、これらの実施例に限られるものではなく、この発明の要旨を逸脱しない範囲の設計の変更等があってもそれらはこの発明に含まれる。
例えば、香りを染み込ませた綿は、その他の繊維材又は多孔質材で代替してもよい。
また、ＶＩＢモータへの通電を連続的でなく、着信後定期的な又は不定期的な間隔で回転又は速度の制御を行う通電制御回路を設けてモータの回転時間又は速度を制御するようにしてもよい。
ＶＩＢモータによる送風に限らず、芳香物質又は芳香物質を含浸する含浸材（綿、フェルト、不織布等）に機械的振動を与えるようにしてもよい。
芳香物質の香りを外部に発散させるための芳香物質貯蔵部の香り排出口を、必要に応じて、不織布やフェルト、布地等の多孔性素材で、充填或るいは被覆するようにしてもよい。
また、ＶＩＢモータは、他の形式のモータで代替してもよい。
上記実施例は、携帯電話機について説明したが、その他の形式の携帯端末装置でも実施可能である。
【図面の簡単な説明】
【００４９】
【図１】図１は、この発明の実施例１である携帯電話機の香り発散室を分解して示す図である。
【図２】同携帯電話機の電池カバーを携帯電話機本体に被せた状態の図である。
【図３】図２の切断線II−IIをＡ方向から見た断面図である。
【図４】上記の携帯電話機のモータ駆動回路図である。
【図５】この発明の実施例２である折り畳み式携帯電話機の開いた状態での斜視図である。
【図６】同折り畳み式携帯電話機の折り畳んだ状態での一部断面側面図である。
【図７】同折り畳み式携帯電話機の開いた状態での一部断面側面図である。
【符号の説明】
【００５０】
１０      携帯電話機
１０Ａ      折り畳み式携帯電話機
１２      携帯電話機本体
２０、２０Ａ      透孔(香り排出口)
２２、２２Ａ      香り発散室（芳香物質貯蔵部の一部）
２４      香りを染み込ませた綿（芳香物質貯蔵部の残部）
２６、２６Ａ      開口
２８      ＶＩＢモータ（送風手段）
【図１】
2007060433.tif 000003
【図２】
2007060433.tif 000004
【図３】
2007060433.tif 000005
【図４】
2007060433.tif 000006
【図５】
2007060433.tif 000007
【図６】
2007060433.tif 000008
【図７】
2007060433.tif 000009